(57)【要約】【課題】多少のでこぼこがある設置面に対しても容易に太陽光電池パネルを設置可能であり、複数枚の太陽光電池パネルを設置する際の作業効率を向上させることができる太陽電池パネル設置用架台を提供する。【解決手段】太陽電池パネル５を所定の傾斜角度で支持して設置するための太陽電池パネル設置用架台１０は、太陽電池パネル５の支持される隅に対応する位置にそれぞれ別々に設置される複数の基礎ブロック１５と、傾斜している太陽電池パネル５の低位側の隅を支持する低位支持部材３０と、高位側の隅を支持する高位支持部材４０と、を有するパネル支持部材２０と、を備え、基礎ブロック１５は、隣接して設置される太陽電池パネル５の近接する隅同士を、パネル支持部材２０を介して単一の基礎ブロック１５により固定するように設置されている。【選択図】図１
0003179626.tif 000002
【実用新案登録請求の範囲】
【請求項１】
太陽電池パネルを所定の傾斜角度で支持して設置するための太陽電池パネル設置用架台において、
前記太陽電池パネルを固定するために、前記太陽電池パネルの支持される隅に対応する位置にそれぞれ別々に設置される複数の基礎ブロックと、
一端が前記基礎ブロックに固定されて前記太陽電池パネルを支持するパネル支持部材であって、傾斜している前記太陽電池パネルの低位側の隅を支持する低位支持部材と、高位側の隅を支持する高位支持部材と、を有するパネル支持部材と、を備え、
前記基礎ブロックは、隣接して設置される前記太陽電池パネルの近接する隅同士を、前記パネル支持部材を介して単一の前記基礎ブロックにより固定するように設置されていることを特徴とする太陽電池パネル設置用架台。
【請求項２】
前記パネル支持部材は、横方向に隣接して設置される前記太陽電池パネルの近接する隅同士を、単一の前記基礎ブロックに固定された単一の前記低位支持部材又は前記高位支持部材によって直接一体に連結支持するように設置されていることを特徴とする請求項１記載の太陽電池パネル設置用架台。
【請求項３】
前記パネル支持部材は、縦方向に隣接して設置される前記太陽電池パネルの近接する隅同士を、単一の前記基礎ブロックに固定された前記低位支持部材及び前記高位支持部材によりそれぞれ支持するように設置され、前記隅同士が、これら基礎ブロック、低位支持部材及び高位支持部材を介して間接的に連結支持されていることを特徴とする請求項１又は２記載の太陽電池パネル設置用架台。
【請求項４】
縦方向に隣接して設置される前記太陽電池パネルを連結固定する前記基礎ブロックは、四角柱形状であり、縦方向に延在して設置されることを特徴とする請求項３記載の太陽電池パネル設置用架台。
【考案の詳細な説明】
【技術分野】
【０００１】
本考案は、太陽電池パネルを設置するための架台である太陽電池パネル設置用架台に関する。
【背景技術】
【０００２】
近年、再生可能エネルギーとして太陽エネルギーが注目されており、太陽光発電システムが数多く設置されるようになっている。太陽光発電システムにおいては、多数並べた太陽電池を相互接続してパネル状に構成した太陽電池パネル（ソーラーパネル）を、地面や建物の屋上等の設置面において、効率的に太陽光を受光できるように配列設置する必要がある。
【０００３】
通常、太陽電池パネルは、効率的に太陽光を受光するため、設置面に対して所定の角度で傾斜するように太陽電池パネル設置用架台に保持されて設置される。従来の太陽電池パネル設置用架台は、例えば、下記特許文献１に開示されている。
【先行技術文献】
【特許文献】
【０００４】
【特許文献１】実用新案登録第３１６４１４２号公報
【考案の概要】
【考案が解決しようとする課題】
【０００５】
特許文献１に開示された太陽電池パネル設置用架台では、設置作業を容易にするために、コンクリートブロックの自重により太陽電池パネルの支保持部材を固定しているため、大きくて重いコンクリートブロックを設置する必要があり、架台の設置作業が大変であり、設置コストも高くなってしまう。
【０００６】
また、設置面に多少のでこぼこがあった場合、大きなコンクリートブロックを設置すると不安定になってしまうため、特許文献１に開示された太陽電池パネル設置用架台では、設置面を平らにするための整備作業が必要になるなど、でこぼこのある設置面への設置が困難である。
【０００７】
また、太陽電池パネルを複数整列させて設置する場合、特許文献１に開示された太陽電池パネル設置用架台はパネル毎にそれぞれ独立して設置される構造であるため、設置作業の効率を上げることができない。
【０００８】
本考案は、上記課題を解決するためになされたものであり、多少のでこぼこがある設置面に対しても容易に太陽光電池パネルを設置可能であり、複数枚の太陽光電池パネルを設置する際の作業効率を向上させることができる太陽電池パネル設置用架台を提供することを目的とする。
【課題を解決するための手段】
【０００９】
上記課題を解決するために、本考案に係る太陽電池パネル設置用架台は、太陽電池パネルを所定の傾斜角度で支持して設置するための太陽電池パネル設置用架台において、前記太陽電池パネルを固定するために、前記太陽電池パネルの支持される隅に対応する位置にそれぞれ別々に設置される複数の基礎ブロックと、一端が前記基礎ブロックに固定されて前記太陽電池パネルを支持するパネル支持部材であって、傾斜している前記太陽電池パネルの低位側の隅を支持する低位支持部材と、高位側の隅を支持する高位支持部材と、を有するパネル支持部材と、を備え、前記基礎ブロックは、隣接して設置される前記太陽電池パネルの近接する隅同士を単一の前記基礎ブロックにより固定するように設置されていることを特徴とする。
【考案の効果】
【００１０】
本考案に係る太陽電池パネル設置用架台によれば、多少のでこぼこがある設置面に対しても容易に太陽光電池パネルを設置可能であり、複数枚の太陽光電池パネルを設置する際の作業効率を向上させることができる。
【図面の簡単な説明】
【００１１】
【図１】図１は、本考案の実施形態に係る太陽電池パネル設置用架台の斜視図である。
【図２】図２は、本考案の実施形態に係る低位支持部材の斜視図である。
【図３】図３は、本考案の実施形態に係る高位支持部材の斜視図である。
【図４】図４は、本考案の実施形態に係る太陽電池パネル設置用架台による横方向に隣接する太陽電池パネルの連結部分を拡大して示す図である。
【考案を実施するための形態】
【００１２】
以下、図面を参照しながら、本考案の実施形態について詳細に説明する。図１は、本実施形態に係る太陽電池パネル設置用架台の斜視図である。本実施形態では、縦方向に2枚、横方向に2枚ずつの合計4枚の太陽電池パネルを設置する場合を例に挙げて説明する。
【００１３】
図１に示すように、本実施形態に係る太陽電池パネル設置用架台１０は、太陽電池パネル設置用架台１０の基礎として機能する基礎ブロック１５と、太陽電池パネル５を基礎ブロック１５に対して固定して支持するためのパネル支持部材２０と、を備えている。
【００１４】
本実施形態では、4枚の長方形板状の太陽電池パネル５−１〜５−４が設置されており、太陽側から見て左前側（図１において、右下側）に太陽電池パネル５−１、右前側に太陽電池パネル５−２、左後側に太陽電池パネル５−３、右後側に太陽電池パネル５−４が設置されている。
【００１５】
基礎ブロック１５は、コンクリート製の四角柱形状のブロックであり、太陽電池パネル５を設置したい地面やビルの屋上等の設置面に設置される。本実施形態では、複数の基礎ブロック１５が、太陽電池パネル５の四隅に対応する位置にそれぞれ設置されている。
【００１６】
基礎ブロック１５は、ある程度の質量を有しており（本実施形態では、約20kg）、これら複数の基礎ブロック１５が重しとなって、設置された太陽電池パネル５及び太陽電池パネル設置用架台１０は、風などが吹いても動くことなく、設置面に対してしっかりと固定される。
【００１７】
ここで、基礎ブロック１５は、同一の太陽電池パネル５の各隅に対しては、独立した基礎ブロック１５が設置されているのに対して、前後の縦方向に隣接する太陽電池パネル５同士、左右の横方向に隣接する太陽電池パネル５同士では、パネル境界部分の近接する四隅において単一の基礎ブロック１５を共有するように設置されている。すなわち、隣接する太陽電池パネル５同士の近接した四隅は、パネル支持部材２０を介して同じ基礎ブロック５に対して固定されている。
【００１８】
具体的には、図１に示すように、横方向に隣接する太陽電池パネル５−１と太陽電池パネル５−２とは、前側の境界部分において基礎ブロック１５−２を共有し、後側の境界部分において基礎ブロック１５−５を共有している。また、同じく横方向に隣接する太陽電池パネル５−３と太陽電池パネル５−４とは、前側の境界部分において基礎ブロック１５−５を共有し、後側の境界部分において基礎ブロック１５−８を共有している。
【００１９】
また、縦方向に隣接する太陽電池パネル５−１と太陽電池パネル５−３とは、太陽側から見て左側の境界部分において基礎ブロック１５−４を共有し、右側の境界部分において基礎ブロック１５−５を共有する。同じく縦方向に隣接する太陽電池パネル５−２と太陽電池パネル５−４とは、左側の境界部分において基礎ブロック１５−５を共有し、右側の境界部分において基礎ブロック１５−６を共有している。
【００２０】
特に、4枚の太陽電池パネル５−１〜５−４の四隅が近接する中央の境界部分では、単一の基礎ブロック１５−５が4枚のパネルの各四隅を固定するための基礎として共有されている。
【００２１】
このように、隣接する太陽電池パネル５同士で基礎ブロック１５を共有することで、基礎ブロック１５の設置数を減らしたり、太陽電池パネル５の設置の際の手間を減らしたりすることができ、材料費及び人件費の両面から太陽電池パネル設置用架台１０の設置コストを大幅に低減することができる。
【００２２】
また、基礎ブロック１５を共有することで、後述するパネル支持部材２０を介して隣接する太陽電池パネル５同士が連結され、太陽電池パネル５及び太陽電池パネル設置用架台１０が構造上頑丈になるので、強風が吹いた際に太陽電池パネル５が吹き飛ばされて壊れるのを防止することにもつながる。
【００２３】
また、単一の太陽電池パネル５の離れた各隅に対しては、それぞれ別々の独立した基礎ブロック１５を設置すると共に、隣接する太陽電池パネル５の近接する隅同士に対しては、単一の基礎ブロック１５を共有するように設置することで、基礎ブロック１５を小型化することができ、設置面に多少のでこぼこがあったとしても基礎ブロック１５の設置が不安定になることなく、太陽電池パネル設置用架台１０を安定して設置することができる。
【００２４】
パネル支持部材２０は、太陽電池パネル５を基礎ブロック１５に対して固定して支持するための金属製の部材であり、傾斜設置される太陽電池パネル５の低位側（前側）の隅を支持する低位支持部材３０と、高位側（後側）を支持する高位支持部材４０とを備えている。図２は、本実施形態に係る低位支持部材の斜視図であり、図３は、本実施形態に係る高位支持部材の斜視図である。
【００２５】
低位支持部材３０は、下端側の一端が基礎ブロック１５にねじ込まれて固定される寸切りボルト３１、太陽電池パネル５の隅を支持するパネル支持金具３２、寸切りボルト３１に対してパネル支持金具３２を固定するためのＬ字型金具３３、これらを締結固定するためのボルトやナット等の締結具３５を備えている。
【００２６】
寸切りボルト３１は、基礎ブロック１５の上面に垂直に開けられた細穴にねじ込まれて立設され、基礎ブロック１５に対して強固に固定される。パネル支持金具３２は、太陽電池パネル５の隅を下方から支持し、太陽電池パネル５の底面に対して締結具（ボルト）３５により強固に固定されている。
【００２７】
Ｌ字型金具３３は、その底面が締結具（ナット）３５により寸切りボルト３１に対して固定されている。このとき、締結具３５をねじ送りによって寸切りボルト３１に沿って上下動させることで、Ｌ字型金具３３の高さを自在に調整可能である。パネル支持金具３２は、締結具（ボルトとナット）３５によりＬ字型金具３３の上部に強固に固定されている。
【００２８】
ここで、本実施形態では、図２に示すように、低位支持部材３０は、Ｌ字型金具３３の両側に固定された2個のパネル支持金具３２を備えており、横方向に隣接する太陽電池パネル５の両方の四隅を固定支持することができる。すなわち、横方向に隣接する二つの太陽電池パネル５によって単一の低位支持部材３０を共有している。但し、隣接する太陽電池パネル５が存在せず、単一の太陽電池パネル５の隅だけを支持する場所に設置される低位支持部材３０は、パネル支持金具３２を1個だけ備えれば良い。
【００２９】
図４は、低位支持部材により横方向に隣接する太陽電池パネルを連結する部分を拡大して示す図である。同図に示すように、低位支持部材３０は、Ｌ字型金具３３の上部両側に取り付けられた二つのパネル支持金具３２によりそれぞれ太陽電池パネル５−１，５−２の四隅を支持している。パネル支持金具３２は、太陽電池パネル５にねじ込まれた締結具（ボルト）３５により太陽電池パネル５に対して固定されている。このように、横方向に隣接す太陽電池パネル５同士は、低位支持部材３０により直接連結固定される。
【００３０】
高位支持部材４０は、一端が基礎ブロック１５にねじ込まれて固定される寸切りボルト４１、太陽電池パネル５の隅を支持するパネル支持金具４２、寸切りボルト４１に対してパネル支持金具４２を固定するためのＬ字型金具４３、これらを締結固定するためのボルトやナット等の締結具４５を備えている。
【００３１】
高位支持部材４０の構成は、低位支持部材３０の構成とほぼ同じであるため、詳細な説明は省略するが、太陽電池パネル５を高い位置で支持するためのＬ字型金具４３がＬ字型金具３３よりも長く、パネル支持金具４２をＬ字型金具４３に固定する姿勢が低位支持部材３０と若干異なっている。
【００３２】
また、本実施形態では、縦方向に隣接する太陽電池パネル５の近接する四隅同士も共有される基礎ブロック１５とパネル支持部材２０とを介して間接的に連結支持されている。
【００３３】
ここで、横方向に隣接する太陽電池パネル５の対向する四隅は至極近接しているのに対して、縦方向に隣接する太陽電池パネル５は、表面が太陽に向けられるように5°傾斜しており、高位置にある前側の太陽電池パネル５の後端部によって低位置にある後側の太陽電池パネル５の前端部が日陰にならないようにある程度（本実施形態では20cm程度）離す必要がある。このため、縦方向に隣接する太陽電池パネル５の対向する四隅は、所定の距離（本実施形態では20cm程度）をおいて近接している。
【００３４】
このため、図１に示すように、縦方向に隣接する太陽電池パネル５の所定の距離をおいて近接している四隅は、単一の基礎ブロック１５と、この基礎ブロック１５に立設固定された低位支持部材３０及び高位支持部材４０とを介して間接的に連結固定されている。
【００３５】
なお、基礎ブロック１５は、横方向に太陽電池パネル５を連結する場合には、単一の低位支持部材３０又は高位支持部材４０を支持するだけで良いのに対して、縦方向に太陽電池パネル５を連結する場合には、縦方向に所定の距離をおいて立設する低位支持部材３０及び高位支持部材４０の双方を支持する必要がある。すなわち、基礎ブロック１５は、縦方向に太陽電池パネル５を連結する場所では、ある程度の長さを必要とする。このため、本実施形態では、角柱形状の基礎ブロック１５を縦方向に延在するように設置面上に配列設置している（図１参照）。
【００３６】
以上、このような構成のパネル支持部材２０を用いて、太陽電池パネル５の前側の隅を低位支持部材３０で支持すると共に、後側の隅を高位支持部材４０で支持することで、表面に効率良く太陽光が照射されるように、太陽電池パネル５を太陽に向けて傾斜させることができる。通常、この傾斜角は、5〜10°程度である。
【００３７】
また、本実施形態では、低位支持部材３０及び高位支持部材４０は、寸切りボルト３１，４１に対するＬ字型金具３３，４３の固定位置を上下動させることで、太陽電池パネル５の支持位置の高さを自在に調整可能である。よって、基礎ブロック１５の設置場所が完全に平坦ではなくでこぼこになっていても、各パネル支持部材２０を設置場所の凹凸に合わせて高さ調整することで、太陽電池パネル設置用架台１０を設計通りの傾斜で整然と設置することができる。
【００３８】
また、本実施形態では、横方向に隣接する太陽電池パネル５の近接する両隅を、単一の低位支持部材３０又は高位支持部材４０により直接一体に連結支持するように構成しているので、低位支持部材３０及び高位支持部材４０の設置数を減らしたり、パネル支持部材２０の設置の際の手間を減らしたりすることができ、材料費及び人件費の両面から太陽電池パネル設置用架台１０の設置コストを大幅に低減させることができる。
【００３９】
また、横方向に隣接する太陽電池パネル５を低位支持部材３０又は高位支持部材４０で直接一体に連結支持することで、太陽電池パネル５及び太陽電池パネル設置用架台１０が構造上頑丈になり、強風等に対する耐性も強くなる。
【００４０】
以上、詳細に説明した本実施形態によれば、隣接する太陽電池パネル５の近接する隅に対して基礎ブロック１５を共有して設置することで、基礎ブロック１５の設置数を減らして設置の際の手間を減らすことができ、太陽電池パネル設置用架台１０の設置コストを低減させることができる。また、隣接する太陽電池パネル５で基礎ブロック１５を共有することで、配列される複数の太陽電池パネル５が連結されて、構造が頑丈になる。
【００４１】
また、隣接する太陽電池パネル５の近接する隅については単一の基礎ブロック１５を共有するのに対して、同じ太陽電池パネル５の離れた各隅に対しては、それぞれ別々の独立した基礎ブロック１５を設置しているので、基礎ブロック１５を太陽電池パネル５の大きさと比べ格段に小型化することができ、材料費の削減や設置手間の軽減を図ることもできる。
【００４２】
また、基礎ブロック１５を小型化することで、設置面に多少のでこぼこがあったとしても、大型の基礎ブロックの場合と比較して格段に安定した設置が可能になる。さらに、本実施形態では、パネル支持部材２０の太陽電池パネル５を支持する部分（パネル支持金具３２，４２）を基礎ブロック１５に対して高さ調整自在に構成しているので、設置面に大きな段差（例えば、10cm程度）があったとしても、パネル支持部材２０の高さ調整に安定した太陽電池パネル５の設置が可能となる。
【００４３】
以上、本考案の実施形態について詳細に説明したが、本考案は上記実施形態に限定されるものではなく、本考案の主旨を逸脱しない範囲内で種々の変形が可能である。例えば、太陽電池パネル設置用架台を構成する各部材の形状やサイズは適宜変更可能であり、太陽電池パネルのサイズや形状、設置枚数等も適宜変更可能であるのは言うまでもない。
【００４４】
また、基礎ブロックの形状については、柱状ではなく立方体形状や板状であっても良い。但し、同一の太陽電池パネルの各隅が固定される基礎ブロックはそれぞれ別々の独立したブロックであるため、基礎ブロックの長さが、太陽電池パネルの各辺の長さよりも短いのが望ましく、太陽電池パネルの各辺の長さの2分の1以下であることがさらに望ましい。さらに、縦方向に隣接する太陽電池パネルの所定の距離をおいて近接する隅同士が単一の基礎ブロックを共有するため、縦方向に隣接する太陽電池パネルによって共有される基礎ブロックは、その長辺部分が縦方向に延在するように設置するのが望ましい。
【００４５】
また、上記実施形態では、太陽電池パネルの四隅を低位支持部材及び高位支持部材により固定支持しているが、四隅に加えてパネル各辺の途中の隅部分をさらに固定支持するようにしても良いし、四隅ではなくパネル各辺の途中の隅部分を固定支持するようにしても良い。
【符号の説明】
【００４６】
５      太陽電池パネル
１０    太陽電池パネル設置用架台
１５    基礎ブロック
２０    パネル支持部材
３０    低位支持部材
３１    寸切りボルト
３２    パネル支持金具
３３    Ｌ字型金具
３５    締結具
４０    高位支持部材
４１    寸切りボルト
４２    パネル支持金具
４３    Ｌ字型金具
４５    締結具（ボルト、ナット）
【図１】
0003179626.tif 000003
【図２】
0003179626.tif 000004
【図３】
0003179626.tif 000005
【図４】
0003179626.tif 000006